(57)【要約】      （修正有）【課題】簡易に設置でき、水流が十分でない場合には、それを補い得る循環型水力発電システムを提供し、化石燃料を使用する火力発電や人命・自然環境に甚大な被害を及ぼす可能性が危惧される原子力発電、設置場所を限定される風力発電、ダム等の相当の費用を要する大規模水力発電装置を代替・補足するべく簡易で、設置場所に柔軟性を有する循環型水力発電システムを提供する。【解決手段】水が循環する無端状の循環水路１０１と、該循環水路の途中に設置されて、該循環水路を水が循環する方向１０４に水流を引き起こすように設置された水流発生器１０２、１１２と、該循環水路の途中に設置されて、該循環水路の水流による回転エネルギーを電気エネルギーに変換する発電機１０３、１１３とを設置することにより循環型水力発電システム１００を構築する。【選択図】図１
0003175912.tif 000002
【実用新案登録請求の範囲】
【請求項１】
水が循環する無端状の循環水路と、
該循環水路の途中に設置されて、該循環水路を水が循環する方向に水流を引き起こすように設置された水流発生器と、
該循環水路の途中に設置されて、該循環水路の水流による回転エネルギーを電気エネルギーに変換する発電機とを有することを特徴とする循環型水力発電システム。
【請求項２】
請求項１に記載の循環型水力発電システムにおいて、
前記水流発生器は、プロペラによる水流発生器であることを特徴とする請求項１に記載の循環型水力発電システム。
【請求項３】
請求項１に記載の循環型水力発電システムにおいて、
前記発電機は、蒸気発電に用いられるタービン型の発電機であることを特徴とする請求項１に記載の循環型水力発電システム。
【請求項４】
請求項１に記載の循環型水力発電システムにおいて、
前記発電機は、複数個設置されて、該複数個の発電機の一部から前記水流発生器に電力を供給することを特徴とする請求項１に記載の循環型水力発電システム。
【考案の詳細な説明】
【技術分野】
【０００１】
本考案は、主に水力を利用して発電機を稼働させ 電力を発生させる水力発電装置に関する。
【背景技術】
【０００２】
近年、全世界において、電気製品の利用が増大し、必要な 電力量も増大している。この電力量を供給する装置としては、火力発電装置、原子力発電装置、水力発電装置、風力発電装置等がある。
火力発電装置は燃料源として、石油、石炭、天然ガス等の化石資源を必要とする。この化石資源は地球上に有限に存在するものであり、いずれは、枯渇すると考えられる。また、火力発電は炭酸ガスを排出するので、地球の 環境に悪い影響を与える。また、比較的、発電コストが低く、有力な発電装置として、原子力発電装置があるが、地震、津波等により、被害を受けると原子力発電が存在する地域の環境を著しく害し、また復旧には膨大な費用と時間を必要とするという致命的とも言える欠点がある。風力発電装置は化石資源を使用せず、自然の風によって電力を発生させられるが、発電に必要な量の風を受けることは難しく、また、その設置には、広い面積を必要とする。水力発電装置としては、主なものとして、川の途中にダムを設けて、水を貯め、その水が落下するエネルギーを利用して、電力を発生させるものがある。しかし、ダムの建設に関しては、建設場所が限られ、またダムの建設には相当の費用を必要とする。
これらの点に鑑み、水が循環する水路を設けて、その水路内に水車を設けて電力を発生させる循環型水力発電装置が提案されている。
しかしながら、該循環型水力発電装置は水流が乏しい場合には、十分な電力を得ることができない。
【０００３】
そこで考案者は、簡易に設置でき、水流が十分でない場合には、それを補い得る循環型水力発電システムを考案した。
【先行技術文献】
【特許文献】
【０００４】
【特許文献１】特開２００５−２９９４３４号公報
【考案の概要】
【考案が解決しようとする課題】
【０００５】
本考案は、簡易に設置でき、水流が十分でない場合には、それを補い得る循環型水力発電システムを提供することを目的とする。
【課題を解決するための手段】
【０００６】
第１の考案は、水が循環し、循環する水流により電力を発生させる循環型水力発電システムであって、水が循環する無端状の循環水路と、
該循環水路の途中に設置されて、該循環水路を水が循環する方向に水流を引き起こすように設置された水流発生器と、
該循環水路の途中に設置されて、該循環水路の 水流による回転エネルギーを電気エネルギーに変換する発電機とを有することを特徴とする。
【０００７】
第２の考案は  前記第１の考案に記載の循環型水力発電システムにおいて、
前記水流発生器は、プロペラによる水流発生器であることを特徴とする。
【０００８】
第３の考案は  前記第１の考案に記載の循環型水力発電システムにおいて、
前記発電機は、蒸気発電に用いられるタービン型の発電機であることを特徴とする。
第４の考案は  前記第１の考案に記載の循環型水力発電システムにおいて、
前記発電機は、複数個設置されて、該複数個の発電機の一部から前記水流発生器に電力を供給することを特徴とする。
【考案の効果】
【０００９】
本考案による循環型水力発電システムによれば、限りある化石資源を使用する火力発電装置によることなく、また、人命や地球環境に甚大な被害を与える可能性が高い原子力発電装置を使用することなく、簡易に低コストで電力を得ることができる。
具体的な効果としては、河川、ダム等を必要とせず、平地であれば、何処にでも設置でき、循環水路に蓋をすれば、ゴミが入らず、循環水路に設置する水流発生器の例えばプロペラの駆動力を調整することにより発生する水流の強弱を調整でき、循環水路に設置された発電機による発電量を調整できる。更に、循環水路の長さ、水流発生器や、発電機の数を調整することにより、発電量を調整できる。
【図面の簡単な説明】
【００１０】
【図１】本考案の循環型水力発電システムの概要を示すブロック図である。
【図２】本考案の循環型水力発電システムの循環水路に設置される水流発生器の１例を示す斜視図である。
【図３】本考案の循環型水力発電システムに設置された発電機の１例を示す斜視図である。
【考案を実施するための形態】
【００１１】
本考案は限りある化石資源を使用する火力発電装置によることなく、また、近時の事故により、人命や地球環境に甚大な被害を与えることが危惧される原子力発電装置を使用することなく、簡易に低コストで電力を得ることができる循環型水力発電システムである。以下図面に基づいて、本考案に係る循環型水力発電システムの実施の形態を説明する。
【実施例１】
【００１２】
図１は、本考案に係る循環型水力発電システムの全体の構成を示す、概略図である。
図１において、１００は循環型水力発電システムであり、１０１は該循環型水力発電システムの循環水路であり、１０２及び１１２は該循環型水力発電システムの循環水路内に設置された水流発生器であり、１０３及び１１３は該循環型水力発電システムの循環水路で循環する水流による回転エネルギーを電気エネルギーに変換する発電機である。また、１０４は水流の方向を示す矢印である。
該循環型水力発電システムの循環型水力発電システムの循環水路１０１は平地に設置され、端が無く、該循環水路内を水が循環する。該循環水路は平地に設置される。
水流発生器１０２は該循環型水力発電システムの循環水路内に設置され、循環型水力発電システムの循環水路に水流を引き起こす。該水流発生器１０２には、例えば、小型モーターボートの後部に取り付けられ水流を引き起こして、推進力を得る水流発生器を利用する。
発電機１０３は該循環型水力発電システムの循環水路内に設置され、主に水流発生器１０２によって引き起こされた水流による回転エネルギーを電気エネルギーに変換する。
該循環型水力発電システムの循環水路１０１の長さ、水流発生器１０２や、発電機１０３の数を調整することにより、発電量を調整できる。また水流発生器１０２及び／又は水流発生器１１２が発生する電力の一部を水流発生器発電機１０３に加えて、システム全体としての電力効率を向上させる。
また、
図２は、本考案に係る循環型水力発電システムの循環水路に設置される水流発生器の斜視図である。
図２において、１０２は循環型水力発電システムの循環水路に設置される水流発生器であり、２０１は循環型水力発電システムの循環水路に設置された水流発生器のプロペラであり、該プロペラが回転することにより、水流が発生する。
図３は、本考案に係る循環型水力発電システムの循環水路に設置される発電機の斜視図である。
図３において、１０３は発電機であり、３０１は該発電機の羽根部であり、３０２は該発電機の水流流入口であり、３０３は該発電機の羽根部３０１に加えられた水流による力により回転する回転軸であり、３０４は回転エネルギーを電気エネルギーに変換するものである。ここで、水流流入口３０２は水流による力を受けやすい方向に設置する。
なお、循環水路内の設置方法、水流発生器、発電機には特徴は無く、公知のもので良いので説明は省略する。
【符号の説明】
【００１３】
１００      循環型水力発電システム
１０１      循環水路
１０２      水流発生器
１０３      発電機
１０４      水流の方向を示す矢印
１１２      水流発生器
１１３      発電機
【図１】
0003175912.tif 000003
【図２】
0003175912.tif 000004
【図３】
0003175912.tif 000005